(57)【特許請求の範囲】
【請求項１】
最上位置と最下位置との間で上下往復運動する天秤と、その天秤の先端部分に形成され、天秤の先端方向側が閉鎖されるとともに、反先端方向側が外部に開放された開口部を有するスリットとを備えたミシンにおいて、
前記天秤の最上位置を含む所定範囲にわたってその天秤の側方に配置され、下方に延びるに従って天秤の先端方向から反先端方向に向かって傾斜する糸案内端部を有する糸案内体を備え、
その糸案内体の糸案内端部が前記開口部よりも更に反先端方向に位置し、前記糸案内体の最下端部が前記天秤の最上位置より下方で外部に開放されていることを特徴とするミシン。
【請求項２】
前記糸案内端部は、水平方向に伸展した糸道の下方で傾斜するように設けられたことを特徴とする請求項１記載のミシン。
【請求項３】
前記糸案内端部は、前記天秤の伸展方向に対して交差する方向に離れた複数の糸保持部が挿入される挿入部で、その挿入部に挿入される複数の前記糸保持部の間に設けられたことを特徴とする請求項１記載のミシン。
【請求項４】
前記糸案内体は、最上位置から下降する前記天秤のスリットの開口部の軌跡に沿って、その開口部よりも反先端側に位置するように、前記糸案内端部よりも下方に形成された他の糸案内端部を有することを特徴とする請求項１乃至３のいずれかに記載のミシン。
【請求項５】
前記糸案内端部は、前記天秤に対して所定の位相で上下動する針が糸通し可能な位置にある場合に、前記開口部よりも反先端側に位置するように設けられたことを特徴とする請求項１乃至４のいずれかに記載のミシン。
【請求項６】
前記糸案内端部は、前記天秤の両側方に設けられたことを特徴とする請求項１乃至５のいずれかに記載のミシン。
【発明の詳細な説明】
【０００１】
【発明の属する技術分野】
本発明は、一方側を閉鎖され他方側を開放されたスリットを有する天秤を備えたミシンに関する。
【０００２】
【従来の技術】
従来よりミシンには、針に対して所定の位相で上下動する天秤が備えられ、その天秤によって糸が引き上げられる。そのような天秤としては、その先端部分に貫通穴が形成されものがあり、その貫通穴に作業者が糸を挿入する。しかし、この貫通穴に糸を挿入することは作業者にとって面倒であるため、貫通穴の代わりに、天秤の先端部分が下方に凹むように形成されものがある。この天秤の先端が下方に凹んだ天秤では、その凹みの上方が開放しているので、作業者は糸を天秤の上方から掛ければよいので、糸掛け作業は簡単であるが、糸が天秤から外れてしまうおそれがある。
【０００３】
そして、天秤の先端部分に貫通穴が形成され、その貫通穴から後方に伸展したスリットが天秤に沿って形成され、そのスリットの端部に開口部が形成されたものがある。例えば、本出願人の特公平５−６６８３６号公報に記載の天秤がある。
【０００４】
このようなスリットを有する天秤に糸を掛ける一般的な手順は、次のようなものである。作業者は糸道に沿って糸を移動し、糸が垂直方向に張られる。そして、作業者がその糸を後方へ移動して、前後方向に伸展した天秤の側面に沿って、糸が先端部分から離れる。その糸がスリットの開口部にまで達したことを熟練に基づき作業者が判断すると、作業者は糸を左方に移動し、その糸が天秤の上方を横切る。次に、作業者が糸を反対方向の先端に向かって糸道に沿って移動して、その開口部から糸がスリットに入り、更に、作業者が先端方向に向かって糸を移動して、糸が天秤の先端付近の貫通穴にまで到達する。即ち、糸は、スリットの伸展方向について往復移動される。続いて、天秤の下方の針にまで、作業者は糸を糸道に沿って移動する。
【０００５】
【発明が解決しようとする課題】
しかしながら、スリットの開口部まで糸が達するように作業者が糸を正確に操作したり、その確認をした後に、糸を先端方向側に移動することは面倒であるが、正確な操作やその確認をせずに糸を反対方向に移動すると、糸が開口部にまで達していないにも関わらず、作業者が糸を天秤の先端方向に移動してしまい、糸がスリットに入らず、糸が天秤に正しく掛からないという問題点があった。更には、糸が天秤に正しく掛けられていない状態で、縫製が開始されて、ミシン内部で糸絡みが起きるというおそれもあった。
【０００６】
そして、天秤の先端部分がミシン本体から出入りする構成では、ミシン内部にスリットの開口部が位置する場合、糸がスリットの開口部にまで達したか否かの視認がしづらいので、その天秤に糸を正しく掛けることは難しかった。従って、上述と同様の問題点やおそれがあった。
【０００７】
更に、天秤は、縫製中に上下動するので、天秤と他の物体との接触を避けるためには、天秤はミシンの内部だけで上下動することが望ましい。しかし、天秤がミシンの内部だけで上下動する構成であると、スリットの開口部は常にミシンの内部に位置しており、その部分を視認しづらかったので、上述の問題点が生じやすかった。
【０００８】
また、作業者が天秤の上方の糸道に沿って糸を移動させるのではなく、糸を何らかの部材によって張っておいて、その張られた糸を天秤に掛けることも考えられるが、スリットを形成された天秤では、糸保持体をスリットの伸展方向に往復動しなければ、糸が天秤のスリットに入らず、同様の問題点やおそれがあった。
【０００９】
本発明は、上述した問題点を解決するためになされたものであり、スリットが形成された天秤への糸掛けを容易にしたミシンを提供することである。
【００１０】
【課題を解決するための手段】
この目的を達成するために、請求項１記載のミシンは、最上位置と最下位置との間で上下往復運動する天秤と、前記天秤の最上位置を含む所定範囲にわたってその天秤の側方に配置され、下方に延びるに従って天秤の先端方向から反先端方向に向かって傾斜する糸案内端部を有する糸案内体とを備え、その天秤には、その天秤の先端方向側のスリットが閉鎖されるとともに、その反先端方向側には、外部に開放された開口部が設けられている。
【００１１】
そして、天秤は上下往復動の最上位置より下方に位置する。天秤の先端方向側では、天秤のスリットは閉鎖され、その先端部分とは離れた開口部では、天秤のスリットは開放されている。前記糸案内体の糸案内端部は前記スリットの開口部よりも更に反先端方向に位置し、前記糸案内体の最下端部は前記天秤の最上位置より下方で外部に開放されている。
【００１２】
請求項２記載のミシンは、水平方向に伸展した糸道の下方で傾斜するように設けられた糸案内端部を有する糸案内体を備え、前記糸道の下方で、前記糸案内端部が前記開口部よりも反先端側に位置している。
【００１３】
請求項３記載のミシンは、前記天秤の伸展方向に対して交差する方向に離れて位置する複数の糸保持部が挿入される挿入部で、そこへ挿入される複数の前記糸保持部の間に設けられた糸案内端部を有する糸案内体を備え、前記挿入部に挿入される複数の前記糸保持部の間で、前記糸案内端部が前記開口部よりも反先端側に位置している。
【００１４】
請求項４記載のミシンは、前記糸案内体に、前記糸案内端部より下方の部分において最上位置から下降する前記天秤の開口部の軌跡に沿って、前記開口部よりも反先端側に位置するように形成された他の糸案内端部を備え、前記天秤が最上位置より下降していても、前記糸案内端部の傾斜している部分よりも下方の前記他の糸案内端部は、前記開口部よりも反先端側に位置している。
【００１５】
請求項５記載のミシンは、前記天秤に対して所定の位相で上下動する針が糸通し可能な位置にある場合に、前記開口部よりも反先端側に位置するように設けられた糸案内端部を有する糸案内体備え、前記針への糸通し可能なときには、前記糸案内端部が前記開口部よりも反先端側に位置している。
【００１６】
請求項６記載のミシンは、前記天秤の両側方に設けられた糸案内端部を有する糸案内体を備え、前記天秤の両側方で、前記糸案内端部が前記開口部よりも反先端側に位置している。
【００１７】
【発明の実施の形態】
以下、本発明の実施の形態について図面を参照して説明する。尚、図１における作業者側を前とし、ミシン１０に向き合う作業者に基づき左右を決めて以下説明する。
【００１８】
図１に示すように、ミシン１０は、水平面を有するベッド部１２と、ベッド部１２の右端部から立設する脚柱部１４と、脚柱部１４から左方に伸展したアーム部１６と、アーム部１６の左端部となるヘッド部１８とから構成されている。このヘッド部１８には、針棒２０が上下往復運動可能に設けられ、その針棒２０に対して所定の位相で天秤２２が上下往復運動可能に設けられている。更に、ヘッド部１８には、針棒２０の下端の針２４に糸Ｔを通す糸通し部２６と、その糸通し部２６を操作のための糸通しレバー２８が操作可能に配置されている。この針２４はベッド部１２内の釜３０と協働し、図２に示すように、針２４と天秤２２とは互いに所定の位相で上下往復運動して、縫い目が形成される。
【００１９】
図３〜図５に示すように、天秤２２は、上方から見て前後方向に伸展し、左方から見ると、中央が上方に盛り上がった略円弧状に形成されている。この天秤２２の前部３２は自由端（先端部分）であり、その前部３２は、針棒２０の前方で、且つ、針２４の上方に位置する。天秤２２の後部３４は、複数の部材を介して、主軸３６に固定されたクランク３８に連結されている。前後方向における天秤２２の中間部４０には、右方に伸展するようにピン４２が固定され、そのピン４２はロッド４４の前部の貫通穴に揺動可能に挿入されている。そのロッド４４の後部の貫通穴には、左右方向に伸展するように支え軸４６が揺動可能に挿入され、この支え軸４６はヘッド部１８に対して固定された支持部材４８に揺動可能に支持されている。即ち、天秤２２が支え軸４６によって支持されて、主軸３６が矢印方向に回転すると、天秤２２が上下往復運動するように、ミシン１０は構成されている。
【００２０】
この天秤２２の前部３２には、左右方向に貫通した円形貫通部５０が形成されて、その円形貫通部５０から後方に向かって伸展したスリット５２が天秤２２に沿って形成されている。このスリット５２の垂直方向の幅は、一般の糸Ｔの太さより広いが、上記円形貫通部５０の上下方向の幅に比べて狭く、且つ、その前後方向の長さにおいて上記円形貫通部５０より長く形成されている。更に、そのスリット５２の上方に位置する天秤２２の上方の前部３２ａは、そのスリット５２の後方（反先端側方向）の端部において、スリット５２の下方に位置する天秤２２の下方の前部３２ｂの右側面に対向するまで下降している。その上方の前部３２ａの下降している部分の左側面とその下方の前部３２ｂの右側面とは、一般の糸Ｔの太さより広い左右方向のわずかな幅の隙間を空けて接近し、この天秤２２のスリット５２はそこで外部に開放され、この隙間を空けている部分が天秤２２のスリット５２の開口部５４となる。即ち、この天秤２２には、その天秤２２の先端部分に、天秤２２の先端方向側が閉鎖されるとともに、反先端方向側が外部に開放された開口部５４を有するスリット５２が形成されている。
【００２１】
このように、スリット５２の開口部５４が、天秤２２の前方の先端部分から離れて後方に形成されているので、図５の二点鎖線で示すように、円形貫通部５０が「８」の字を描くように上下往復運動しても、円形貫通部５０に掛けられた糸Ｔが不用意に抜けないように、天秤２２は構成されている。
【００２２】
この天秤２２の前方には、図６に示すように、上下方向に伸展するように糸案内部材５８が設けられている。また、上方から見ると、図３に示すように、糸案内部材５８は前から後に向って張り出して、天秤２２の両側で、その天秤２２と平行に前後方向に伸展している。この糸案内部材５８は、左右方向に直交する垂直な板状である張り出し部６０を２つ有し、その張り出し部６０は左右方向に互いに平行に離れ、それら左右両側の張り出し部６０の前側で直交する中間部６２とから構成され、右方の張り出し部６０の下端がヘッド部１８に固定されている。上方から見て、２つの張り出し部６０、中間部６２に囲まれた空間に、天秤２２が後方から張り出しており、その空間で上下往復運動する。
【００２３】
図７に示すように、左右両側の張り出し部６０の上部はいずれも、前後方向の中央付近で最も高くなっており、最高部分よりも後方の後方上案内端部６４（糸案内端部に相当する）は、下方に延びるに従って天秤２２の先端方向から後方に向かって徐々に直線的に傾斜する。そして、それら後方上案内端部６４の直線的に傾斜する部分の下方では、図７に示すように、曲線をなすように後方下案内端部６６（他の糸案内端部に相当する）が形成されている。その直線的に傾斜する部分で、後方上案内端部６４と後方下案内端部６６との連結し、その部分が最も後方に張り出している。その最も後方に張り出した部分は、図７に二点鎖線で示す最上位置の天秤２２のスリット５２の開口部５４に近接して設けられ、その天秤２２のスリット５２の開口部５４を後方に越えるように、後方上案内端部６４及び後方下案内端部６６は形成されている。
【００２４】
後方下案内端部６６は、図５に示す天秤２２の最上位置と最下位置との間のうちの一部に位置し、図７にニ点鎖線で示す天秤２２の最上位置を含む所定範囲にわたって設けれている。左右両側の後方下案内端部６６の最下端部６６ａは、上記中間部６２やヘッド部１８の内壁と離間しており、下方に突き出た牙ように形成されており、外部に開放されている。また、左方から見ると、図５に示すように、この後方下案内端部６６は、天秤２２の先端部分の円形貫通部５０が上下往復運動する範囲の後方に位置している。この後方下案内端部６６の曲線は、図８に示すように、その最上位置から下降する天秤２２のスリット５２の開口部５４の軌跡に沿っており、後方下案内端部６６がその図８に示す範囲で下降するいずれの天秤２２の開口部５４よりも後側に越えるように張り出して形成されている。
【００２５】
また、中間部６２の前側面には、樹脂カバー７０が固定されており、この樹脂カバー７０はミシン１０のヘッド部１８の外装の一部となる。この樹脂カバー７０が、他のヘッドの外装と一般的な糸Ｔの太さよりも広い間隔をあけて配置されており、その隙間が糸道７２，７４，７６となる。具体的には、図９に示すように、この樹脂カバー７０の左右両側の隙間が、２本の垂直方向に伸展した糸道７２，７４となり、天秤２２及び糸案内部材５８の左右で糸Ｔを垂直方向に伸展させるためのものである。この糸道７２は、前方から見ると、天秤２２及び糸案内部材５８の右側に位置し、その天秤２２及び糸案内部材５８の上方まで達している。また、糸道７４は、前方から見ると、天秤２２及び糸案内部材５８の左側に位置し、その天秤２２及び糸案内部材５８の上方から、それらの下方の針２４や糸通し部２６の上方付近までわたっている。そして、前方から見ると糸道７４，右側の張り出し部６０、天秤２２、左側の張り出し部６０、糸道７６が右からこの順に位置している。
【００２６】
樹脂カバー７０の上側の隙間が水平方向に伸展した糸道７６となり、糸Ｔが天秤２２及び糸案内部材５８の上方を横切るためのものである。水平方向に伸展した糸道７６は、張り出し部６０の最も高い部分の後方且つ上方に位置すると共に、傾斜した後方上案内端部６４の上方に位置し、更に、張り出し部６０の最も張り出した部分の前方且つ上方に位置する。
【００２７】
これらの糸道７２，７４，７６は、図１０〜図１３に示すように、糸Ｔが斜めに伸展するように、その下方のミシン１０の内部空間はつながっている。そのため、天秤２２と接触する糸Ｔは、後方下案内部材６６の下方を通過して、糸道７２，７４にわたることも可能である。そして、最上位置の天秤２２の上方に、この水平方向に伸展した糸道７６はあり、天秤２２はミシン１０の内部で上下往復運動して、天秤２２と他の部材との衝突することが無い。即ち、スリット５２の開口部５４もミシン１０の内部に常に位置する。
【００２８】
また、ミシンモータ７８によって主軸３６が回転すると、針棒２０はロッド８０によって上下往復運動する。この針２４が最上位置から所定の角度以内（例えば、０度〜５０度の範囲）に停止していれば、針２４は糸通し部２６によって糸通し可能な高さにあり、天秤２２は図７に実線で示す天秤２２より上方に位置する。その所定角度を越えると、天秤２２は図７に実線で示す天秤２２より下方に位置する。このとき、針棒２０に固定されたピンによって、糸通しレバー２８の移動が阻止されて、糸通し動作ができないように、ミシン１０は構成されている。
【００２９】
このように構成されたミシン１０について、その天秤２２に糸Ｔを掛ける手順について説明する。
【００３０】
例えば、作業者が天秤２２を最上位置に位置させるが、天秤２２のスリット５２の開口部５４はミシン１０の内部に位置している。作業者は垂直方向に伸展した糸道７２に沿って糸Ｔを移動し、図１０に示すように、天秤２２及び糸案内部材５８の右側で、糸Ｔが垂直方向に張られる。そして、作業者がその糸Ｔを水平方向に伸展した糸道７６まで後方に移動して、糸Ｔが天秤２２の先端部分から後方へ離れる。次に、作業者は水平方向に伸展した糸道７６に達した糸Ｔを左方に移動し、その糸Ｔが天秤２２及び糸案内部材５８の上方を横切る。次に、作業者が糸Ｔを反対方向の先端に向かって垂直方向に伸展した糸道７４に沿って移動する。この時、糸Ｔは、図７の位置Ｐ１にあり、後方上案内端部６４上で水平方向に伸展する。そして、作業者による糸Ｔの引っ張り操作向が水平方向よりも下方になると、図１１に示すように、その糸Ｔが後方上案内端部６４に沿って後方へ下降する。そして、図７の位置Ｐ２に示すように、最も後方に張り出した部分を糸Ｔが越え、図７の位置Ｐ３に示すように、後方下案内端部６６の曲線に沿って前方且つ下方に移動して、天秤２２の上方の開口部５４の後方に糸Ｔが乗る。そして、作業者が糸Ｔを更に下降させると、図１２に示すように、糸Ｔが天秤２２と後方上案内端部６４との両方に接触して屈曲した状態となり、続いて、開口部５４から糸Ｔがスリット５２に入る。続いて、作業者が糸Ｔを下方に糸Ｔを移動して、図７の位置Ｐ４のように、糸Ｔが後方下案内端部６６の最下端部６６ａに沿って後方下案内端部６６の前方へ至り、図７の位置Ｐ５に示すように、糸Ｔが天秤２２の先端部分の円形貫通部５０にまで到達し、図１３に示す糸Ｔの状態となる。
【００３１】
即ち、作業者は糸道７２、糸道７６，糸道７４の順にそれら沿って糸Ｔを移動していれば、糸Ｔは開口部５４を越えて所定位置まで後方に移動され、その後に、その反対方向の前方に移動されるので、熟練を要することなく、簡単に糸Ｔを正確に天秤２２にかけることができる。続いて、天秤２２の下方の針２４にまで、作業者は糸Ｔを糸道７４に沿って移動し、作業者が糸通しレバー２８を操作して、針２４に糸Ｔが通される。
【００３２】
上述した実施の形態においては、後方下案内端部６６が最上位置から下降する天秤２２のスリット５２の開口部５４に沿って形成されているため、最上位置から糸通し可能な下限の天秤２２にまで、糸Ｔを正確に掛けることが同様に簡単にできる。更に、天秤２２の左右両側において糸Ｔを案内するので、糸Ｔの状態が安定している。糸案内部材５８は糸通し可能なときのみに糸Ｔを案内するように構成されているので、糸案内部材５８が小型化されている。
【００３３】
上述した実施に形態においては、張り出し部６０が天秤２２と一定間隔をなすように、左右方向に直交する垂直面として設けられたが、天秤２２に衝突しない限り、左右方向において斜めに配置しても良い。
【００３４】
上述した実施の形態においては、糸案内端部に相当する左右両側の後方上案内端部６４及び他の糸案内端部に相当する後方下案内端部６６の４箇所で、糸Ｔを案内するよう糸案内部材５８は形成されているが、天秤２２の下方で糸Ｔを２点で支持して、糸Ｔを伸展させる必要がなければ、右方の後方下案内端部６６は無くても良い。
【００３５】
また、垂直方向に伸展した糸道７４に沿って糸Ｔが移動され、その糸Ｔの移動に伴って、糸Ｔが後方に案内されるのであれば、左右両側の２箇所の後方上案内端部６４はいずれか一方のみでも良い。その後方上案内端部６４は、直線的に傾斜するが、後方に糸Ｔが移動するのであれば、曲線で傾斜しても良い。
【００３６】
更に、天秤２２が最上位置にあるときのみに、天秤２２に糸Ｔを掛けるようにするならば、図７に示す水平方向の破線で、糸案内部材５８を切断したように後方下案内端部６６を設けず、後方上案内端部６４のみだけの張り出し部６０としても良い。このように張り出し部６０を構成する場合としては、何らかの理由（例えば、自動糸通しの機構の都合で天秤２２の唯一の位置でしか糸Ｔが通らないため）で、天秤２２が最上位置あるときのみ針２４への糸通しが可能であることが考えられる。
【００３７】
上述した実施の形態においては、天秤２２のスリット５２の上方の前部３２ａが、そのスリット５２の下方の前部３２ｂの右側面に対向するまで下降しているが、天秤２２のスリット５２の上方の前部３２ａがその下方の前部３２ｂの右側面に対向するまで下降してはいない天秤２２に、上述した糸案内部材５８を設けても良い。
【００３８】
上述した実施の形態では、糸案内体に相当する張り出し部６０が、水平方向に伸展した糸道７６の下方で傾斜するように設けられたが、図１４に示すように、天秤２２の伸展方向に対して交差する左右方向に離れた２つの糸保持部８２，８４が挿入される挿入部８６をミシン１０の前面に設けて、その挿入部８６に挿入される２つの糸保持部８２，８４の間で、張り出し部６０が天秤２２の両側方に位置するように、糸案内部材５８を挿入部８６に設けても良い。このような挿入部８６を設け、糸駒８８を収納した糸カセット９０に糸保持部材８２，８４を設けたミシンとしては、本願人による特願２００１―１７２２６４号に記載のものがある。
【００３９】
上述した実施の形態では、糸案内部材５８を板材で構成したが、針金等の線状の部材によって、同様の形状で構成しても良い。その方が、ミシン１０が軽量になる。
【００４０】
【発明の効果】
以上説明したことから明らかなように、請求項１記載のミシンでは、糸案内端部が天秤の側方で天秤の反先端方向に向かって傾斜し、天秤のスリットの開口部よりも更に反先端方向に位置し、その糸案内端部の最下端部は開放されているので、天秤の先端とは離れた反先端側方向にそのスリットの開口部が設けらていても、天秤に糸を容易に掛けることができる。
【００４１】
請求項２記載のミシンでは、糸道の下方で、糸案内端部がスリットの開口部よりも反先端側に位置しているので、ミシンの内部にスリットの開口部が位置していても、天秤に糸を容易に掛けることができる。
【００４２】
請求項３記載のミシンでは、挿入部に挿入される複数の糸保持部の間で、糸案内端部がスリットの開口部よりも反先端側に位置しているので、糸保持部で糸を張った状態でも天秤にその糸を容易に掛けることができる。
【００４３】
請求項４記載のミシンでは、天秤が最上位置より下降していても、糸案内端部の傾斜している部分よりも下方に形成された他の糸案内端部が、スリットの開口部よりも反先端側に位置しているので、天秤に糸を容易に掛けることができる。
【００４４】
請求項５記載のミシンでは、針への糸通し可能なときには、糸案内端部が天秤のスリットの開口部よりも反先端側に位置しているので、糸を針に通すことができる場合には、天秤に糸を容易に掛けることができる。
【００４５】
請求項６記載のミシンでは、天秤の両側方で、糸案内端部がスリットの開口部よりも反先端側に位置しているので、糸が天秤の両側で案内され、糸の状態が安定して、糸がスリットに確実に入り、天秤に糸を容易に掛けることができる。
【図面の簡単な説明】
【図１】    本実施の形態に係るミシンの全体図である。
【図２】    本実施の形態に係るミシンの天秤と針棒の位置関係を示す図である。
【図３】    本実施の形態に係る天秤機構の上面を示す図である。
【図４】    本実施の形態に係る天秤機構の前面を示す図である。
【図５】    本実施の形態に係る天秤機構及び糸案内部材の左側面を示す図である。
【図６】    本実施の形態に係る天秤機構及び糸案内部材の前面を示す図である。
【図７】    本実施の形態に係る糸掛け可能な天秤を示す図である。
【図８】    本実施の形態に係る天秤の下降経過を示す図である。
【図９】    本実施の形態に係るミシンの前面の斜視図である。
【図１０】    本実施の形態に係る糸案内部材に糸が接触する直前の状態を示す図である。
【図１１】    本実施の形態に係る糸案内部材の上方に糸がわたっている状態を示す図である。
【図１２】    本実施の形態に係る糸案内部材の後方下案内端部に糸が接触する状態を示す図である。
【図１３】    本実施の形態に係る糸案内部材から糸が外れた状態を示す図である。
【図１４】    本実施の形態に係る糸保持部によって張られた糸を天秤に掛ける状態を示す図である。
【符号の説明】
１０  ミシン
１８  ヘッド部
２２  天秤
５２  スリット
５４  開口部
５８  糸案内部材
６４  後方上案内端部
６６  後方下案内端部
６６ａ  最下端部
７６  糸道
【図１】
0003941103.tif 000002
【図２】
0003941103.tif 000003
【図３】
0003941103.tif 000004
【図４】
0003941103.tif 000005
【図５】
0003941103.tif 000006
【図６】
0003941103.tif 000007
【図７】
0003941103.tif 000008
【図８】
0003941103.tif 000009
【図９】
0003941103.tif 000010
【図１０】
0003941103.tif 000011
【図１１】
0003941103.tif 000012
【図１２】
0003941103.tif 000013
【図１３】
0003941103.tif 000014
【図１４】
0003941103.tif 000015